(57)【要約】【課題】本発明は貯水している水を気化させる加湿機に関するもので、容積辺りの加湿効率が向上および底圧損にさせることで、本体の小型化や大容量加湿を行うことができるものである。【解決手段】そしてこの目的を達成するために本発明は、加湿フィルター６は、筒形状の筒部８と、この筒部８の一方側の開口を塞ぐように設けた蓋部９とからなり、加湿フィルター枠７は、加湿フィルター６の筒部８の周面の一部が水槽１０に供給された水に常時浸るように加湿フィルター枠７を設けると共に、加湿フィルター６は蓋部９の中心を中心軸として回転し、送風手段４は、吸気口１から本体ケース３内に吸気した空気を加湿フィルター６を順次介して吹出口２へと送風し、吸気口１から流入した空気が加湿フィルター６の筒部８または蓋部９を通過することで加湿されることを特徴とする。【選択図】図１
2015064114.tif 000002
【特許請求の範囲】
【請求項１】
吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルターを順次介して前記吹出口へと送風し、前記吸気口から流入した空気が加湿フィルターの前記筒部または前記蓋部を通過することで加湿されることを特徴とした加湿機。
【請求項２】
加湿フィルターの蓋部の略中央部が浸水しない構成の請求項１に記載の加湿機。
【請求項３】
加湿フィルターの風下側に送風手段を配置してなる請求項１または２に記載の加湿機。
【請求項４】
加湿フィルターの前記筒部の他方側の開口を風上側に、蓋部を風下側に配置してなる請求項１から３のいずれかに記載の加湿機。
【請求項５】
加湿フィルターの蓋部は、筒部の内方へ突出したことを特徴とする請求項１から４のいずれかに記載の加湿機。
【発明の詳細な説明】
【技術分野】
【０００１】
本発明は、回転式加湿手段を備えた加湿機に関する。
【背景技術】
【０００２】
従来のこの種の加湿機の構成は以下のようになっていた。
【０００３】
すなわち、吸気口と吹出口とを有する本体ケースと、この本体ケース内で、前記吸気口から前記吹出口へ送風される送風路に送風手段と加湿手段とを設け、この加湿手段は筒部と蓋部からなる略コップ形状であり、前記吸気口から前記本体ケース内に吸気した空気を前記加湿手段の筒部を通して一旦加湿手段内部へ吸込み、その後蓋部を通過して吹出口から吹出す風路構成となっていた。
【先行技術文献】
【特許文献】
【０００４】
【特許文献１】登録実用新案第１４８２１９８号公報
【発明の概要】
【発明が解決しようとする課題】
【０００５】
上記従来例における課題は、加湿手段の筒部と蓋部の２箇所を連通して空気が通過するため、筒部と蓋部を足した面積を有する加湿手段に１パスで同一風量を送風した場合に比べて圧力損失が２倍になり、圧力損失が大きいため圧力特性の高い送風機を使用する必要があった。また、加湿手段の面風速が２倍になることから、送風された空気が加湿手段から水分を吸収する時間が半分になるため加湿効率が低かった。また、筒部を通過することで一度加湿された空気を、さらに蓋部を通過して再加湿させるため、蓋部での加湿時は蓋部の加湿手段と空気との湿度差が筒部の加湿手段の湿度差に比べて低いため、加湿手段の容積の割に加湿効率が低かった。
【０００６】
すなわち、従来の物においては、圧力特性の高い送風機を使用することから、送風機の大型化が必要となり、また、加湿効率が低いため加湿手段の大型化と高い送風量が必要になることから、本体が大型化となった。さらには、機体内部の圧損が高くなり、送風量も大きいことから、騒音の問題があった。
【０００７】
そこで、本発明は、加湿手段の容積辺りの加湿効率が向上させることで、本体の小型化や大容量加湿を行うことを目的とするものである。
【課題を解決するための手段】
【０００８】
そしてこの目的を達成するために本発明は、吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルターを順次介して前記吹出口へと送風し、前記吸気口から流入した空気が加湿フィルターの前記筒部または前記蓋部を通過することで加湿されることを特徴とするものである。
【０００９】
これにより、初期の目的を達成するものである。
【発明の効果】
【００１０】
以上のように本発明は、吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルターを順次介して前記吹出口へと送風し、前記吸気口から流入した空気が加湿フィルターの前記筒部または前記蓋部を通過することで加湿されるものである。
【００１１】
すなわち、加湿フィルターの筒部および蓋部のそれぞれを１パスで通風することから通風面の全てに長時間の湿度交換が行え、容積辺りの加湿効率が向上および底圧損にさせることで、本体の小型化や大容量加湿を行うことができるものである。
【図面の簡単な説明】
【００１２】
【図１】本発明の実施の形態の加湿機の断面図
【図２】同加湿機の加湿手段を示す断面図
【図３】同加湿機の加湿フィルターを示す概略図
【図４】同加湿機の加湿フィルター枠を示す概略図
【図５】同加湿機の加湿フィルター枠を示す概略図
【発明を実施するための形態】
【００１３】
以下、本実施形態を添付図面を用いて説明する。
【００１４】
（実施の形態）
図１〜図５に示すように、本実施形態の加湿装置は、吸気口１と吹出口２を有する本体ケース３と、この本体ケース３内で吸気口１から吹出口２に送風される送風路に、送風手段４と加湿手段５とを備えている。加湿手段５は、送風手段４の送風路における風上側に配置されている。
【００１５】
本体ケース３は略立方体形状で、他方側である背面に吸気口１を設け、天面に吹出口２を備えている。
【００１６】
加湿手段５は、加湿フィルター６と、加湿フィルター枠７と、回転手段（図示せず）と、水槽１０とからなる。加湿フィルター６は、加湿フィルター枠７によって、水槽１０に回転自在に保持されている。加湿フィルター６は、回転手段によって、水槽１０に入った水道水に加湿フィルター６の一部が常に浸漬するように、加湿フィルター枠７と共に回転する。
【００１７】
加湿フィルター６は、略コップ形状をしており、筒形状の筒部８と、この筒部８の一方の開口を塞ぐように設けた蓋部９とで構成されている。蓋部９は、略円板の中央部が筒部８の内側へ突出した凸形状の立体構造で形成している。加湿フィルター６は、筒部８の軸方向が水平方向で、筒部８の他方側の開口が、本体ケース３の吸気口１に対向するように、加湿フィルター枠７によって保持される。なお、筒部８と、蓋部９とは別部品でも良い。
【００１８】
加湿フィルター枠７は、加湿フィルター６の蓋部９を覆う蓋枠部１３と、加湿フィルター６の筒部８を覆う筒枠部１４とからなる。
【００１９】
蓋枠部１３は、後述する蓋枠側軸受部分２７に回転自在に装着可能な略円柱形状の蓋枠側軸部分１５と、この蓋枠側軸部分１５から放射状に伸びた複数の板形状の桟である第１の蓋枠側桟部分１６と、第１の蓋枠側桟部分１６の先端に備えた筒形状の歯車であるギアー部分２２を有している。更に、このギアー部分２２から放射状に伸びた複数の板形状の桟である第２の蓋枠側桟部分２９と、第２の蓋枠側桟部分２９の先端に備えた略筒形状の蓋枠側周部分１７を備えている。
【００２０】
筒枠部１４は、後述する筒枠側軸受部分２８に装着可能な筒枠側軸部分１８と、筒枠側軸部分１８から放射状に伸びた複数の桟である筒枠側桟部分１９と、この筒枠側桟部分１９の先端に設けた円環板形状の筒枠側リング部分２０を有する。筒枠側リング部分２０に外周端部からは、筒枠側軸部分１８の軸方向で、加湿フィルター枠７の内方へ伸びた板形状の複数の筒枠側外周部分２１を備えている。これらの筒枠側外周部分２１の先端には、筒枠側外周部分２１の先端を連結する筒形状の筒枠側外周連結部分３０を有している。筒枠側リング部分２０に内周端部からは、筒枠側軸部分１８の軸方向で、加湿フィルター枠７の内方へ伸びた板形状の複数の筒枠側内周部分２３を備えている。これらの筒枠側内周部分２３の先端には、筒枠側内周部分２３の先端を連結する筒形状の筒枠側内周連結部分３１を有している。
【００２１】
加湿フィルター６の筒部８を、加湿フィルター枠７の筒枠部１４である筒枠側外周部分２１と筒枠側内周部分２３との間に挿入し、加湿フィルター６の蓋部９側に加湿フィルター枠７の蓋枠部１３を嵌めると、筒枠側外周連結部分３０の外周面に、蓋枠側周部分１７の内周面が嵌り、加湿フィルター６を加湿フィルター枠７内に固定できる。ここで、蓋部９は、略円板の中央部が筒部８の内側へ突出した凸形状の立体構造であるので、蓋枠部１３である蓋枠側軸部分１５とギアー部分２２と蓋部９との間には空間部２４を備えている。
【００２２】
回転手段は、本体ケース３内に設けられ、回転手段は、加湿フィルター枠７のギアー部分２２を介して、加湿フィルター枠７と加湿フィルター６とを回転できる。
【００２３】
水槽１０は、椀形状で、上端から上方へ伸びた、縦長四角形状の平板である一方側支持部２５と他方側支持部２６とを有する。この一方側支持部２５の上部内方には、蓋枠部１３の蓋枠側軸部分１５を回転自在に支持する凹形状の蓋枠側軸受部分２７を備えている。他方側支持部２６の上部内方には、筒枠部１４の筒枠側軸部分１８を回転自在に支持する凹形状の筒枠側軸受部分２８を備えている。一方側支持部２５と他方側支持部２６とは対向し、蓋枠側軸受部分２７と筒枠側軸受部分２８も対向している。
【００２４】
略コップ形状の加湿フィルター６と、この加湿フィルター６を保持し、本体ケース３に回転自在に設けられた加湿フィルター枠７とで形成されている。
【００２５】
加湿フィルター６は吸気口１の近傍であり、吸気口１から流入した室内の空気が筒部８の他方の開口以外へ流出しない大きさおよび位置関係で配置されている。また、筒部８は他方の開口を風上側へ、蓋部９を風下側へ向けて配置されている。
【００２６】
加湿手段５は、筒部８の中心軸を水平方向の回転軸として加湿フィルター枠７と一体となって回転する。また、本体ケース３の内部には加湿手段５を回転させる回転手段を設けている。
【００２７】
加湿手段５の下部には、一定量の水道水が入った水槽１０を設けている。この水槽１０内の水道水に加湿フィルター６の蓋部９の周縁の一部と筒部８の下部が常時浸漬・湿潤されている。
【００２８】
このような構成において、送風手段４によって、本体ケース３の吸気口１から吸込まれた室内の空気が、加湿手段５を通過する。この時、室内の空気は加湿フィルター６の筒部８の他方の開口から流入して筒部８を通過して送風手段４へ吸い込まれる通過風路１１と、加湿フィルター６の筒部８の他方の開口部から流入して蓋部９を通過して送風手段４へ吸い込まれる通過風路１２の両方の経路を使用して本体ケース３の吹出口２から室内へ吹き出される。
【００２９】
加湿フィルター６は、水槽１０内の水道水に蓋部９の周縁の一部と筒部８の下部が常時浸漬・湿潤され、加湿手段５が回転することで筒部８の全体が水槽１０に浸され湿潤する。また、蓋部９の周縁の一部が加湿手段５の上部へ回転移動し、周縁の一部に付着した水分が重力により蓋部９の中央部へ移動することが順次おこなわれることで蓋部９の全体を湿潤する。
【００３０】
このように全体を湿潤した加湿フィルター６を通過風路１１および通過風路１２を通過した空気が通過することで加湿された空気が室内へ吹き出されるものである。
【００３１】
本実施形態における特徴は、加湿フィルター６の筒部８の容積に、筒部８と蓋部９の通風され加湿を行う通風面を有し、その通風面を通過風路１１および通過風路１２を通風することで、容積に対して大きな通風面に１パスで通風することから、加湿手段の容積辺りの加湿効率を向上させることができ、本体の小型化や本体サイズに対して大容量加湿をおこなうことができる。または、従来の風量より小風量で同等の加湿をおこなうことができるため、騒音や消費電力の低減をおこなうことができる。
【００３２】
また、水槽１０の水位が蓋部９の中央まで有した場合に比べて、加湿フィルター６の蓋部９通風面を多く使用することができ、加湿効率の向上、機内圧損の低減ができる。
【００３３】
また、加湿手段５の風上側に送風手段４を配置することから、空気が加湿フィルター６の筒部８および蓋部９を負圧で吸引されて通風するため、通風面の風速分布を略均一にムラが少ない最小の風速、すなわち最大の加湿効率の状態で加湿をおこなうことができ、加湿効率の最適化が図れる。
【００３４】
また、加湿フィルター６の他方の開口を風上側に配置することで、加湿フィルター６の通風後出口の面を筒部８の他方の開口以外の面と特定することがでる。すなわち、吸気口１と筒部８の他方の開口の風路的な接続のみを考慮すれば、本体ケース３内での加湿手段５および送風手段４のレイアウトの自由度が増し、加湿フィルター６へ無理のない風路設計や風路圧損が最小とした設計ができる。これにより、加湿効率の向上や省エネ化が図れる。
【００３５】
また、蓋部９を凸形状、つまり略円錐形状にすることで、円形平面に比べて通風面積が大きくすることができ、加湿効率の向上が図れる。なお、蓋部９は円錐形状に限定するものではなく、円形平面の中心部が突出した立体形状であれば効果に差異はない。また、蓋部９を凸形状、つまり略円錐形状にすることで、蓋枠部１３である蓋枠側軸部分１５とギアー部分２２と蓋部９との間には空間部２４を備えているので、通風抵抗を低減できる。
【産業上の利用可能性】
【００３６】
以上のように本発明は、吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルターを順次介して前記吹出口へと送風し、前記吸気口から流入した空気が加湿フィルターの前記筒部または前記蓋部を通過することで加湿されることを特徴とするものであり、本体の小型化や本体サイズに対して大容量加湿をおこなうことができる。または、従来の風量より小風量で同等の加湿をおこなうことができるため、騒音や消費電力の低減をおこなうことができるものである。
【００３７】
従って、家庭用や事務所用などの、加湿機として活用が期待されるものである。
【符号の説明】
【００３８】
１      吸気口
２      吹出口
３      本体ケース
４      送風手段
５      加湿手段
６      加湿フィルター
７      加湿フィルター枠
８      筒部
９      蓋部
１０    水槽
１１    通過風路
１２    通過風路
１３    蓋枠部
１４    筒枠部
１５    蓋枠側軸部分
１６    第１の蓋枠側桟部分
１７    蓋枠側周部分
１８    筒枠側軸部分
１９    筒枠側桟部分
２０    筒枠側リング部分
２１    筒枠側外周部分
２２    ギアー部分
２３    筒枠側内周部分
２４    空間部
２５    一方側支持部
２６    他方側支持部
２７    蓋枠側軸受部分
２８    筒枠側軸受部分
２９    第２の蓋枠側桟部分
３０    筒枠側外周連結部分
３１    筒枠側内周連結部分
【図１】
2015064114.tif 000003
【図２】
2015064114.tif 000004
【図３】
2015064114.tif 000005
【図４】
2015064114.tif 000006
【図５】
2015064114.tif 000007